(57)【特許請求の範囲】
【請求項１】
被乾燥物を予備乾燥する予備乾燥機と、該予備乾燥機で予備乾燥した被乾燥物の本乾燥を行う本乾燥機とを備え、本乾燥機の熱排気を予備乾燥機に取り入れて被乾燥物品の連続乾燥を行う連続式乾燥装置であって、
被乾燥物を取入れドアを介して取り入れて予備乾燥を行う予備乾燥機と、該予備乾燥機により予備乾燥された被乾燥物を本乾燥し、取出しドアを介して外部に取り出す本乾燥機と、該予備及び本乾燥機間を空間的に区切り且つ開閉する中間ドアと、前記本乾燥機からの熱排気を予備乾燥機に供給する循環路と、前記本乾燥機及び予備乾燥機を一体的に支持し、本乾燥機に対して予備乾燥機が上位置になる様に傾斜させる傾斜機構とを備え、
前記中間ドアを閉じ且つ取出しドアを開けた状態で、前記傾斜機構が本備乾燥機に対して予備乾燥機が上位置になる様に傾斜させることにより、本乾燥機内の被乾燥物を外部に取り出すことを特徴とする連続式乾燥装置。
【請求項２】
前記本乾燥機内の被乾燥物を取り出した後、前記傾斜機構による両乾燥機の傾斜を維持し、前記本乾燥機の取出しドアを閉め且つ中間ドアを開けることにより、予備乾燥機内の被乾燥物を本乾燥機内に移送することを特徴とする請求項１記載の連続式乾燥装置。
【請求項３】
前記本乾燥機及び予備乾燥機が被乾燥物を収納する内胴ドラムを備え、前記本乾燥機内の被乾燥物を外部に取り出す際、及び又は予備乾燥機内の被乾燥物を本乾燥機に移送する際、前記内胴ドラムを回転させることを特徴とする請求項１又は２記載の連続式乾燥装置。
【発明の詳細な説明】
【０００１】
【発明の属する技術分野】
本発明は、洗濯物等の被乾燥物を予備及び本乾燥を行う連続式乾燥装置に係り、特に、被乾燥物を予備乾燥機から本乾燥機へ移送及び本乾燥機からの取り出しを自動的に行うことができる連続式乾燥装置に関する。
【０００２】
【従来の技術】
一般に水による洗濯及び脱水直後の洗濯物等の被乾燥物を予備乾燥を行った後に本乾燥を行う連続式乾燥装置が知られている。この連続式乾燥装置は、被乾燥物の予備乾燥を行う予備乾燥機と、該予備乾燥を行った被乾燥物の本乾燥を行う本乾燥機を併設し、本乾燥機の熱排気を予備乾燥機に循環して廃熱の有効利用を行うものである
この従来技術による連続式乾燥装置は、例えば特許第３０４４２１８号公報に記載されている如く、予備乾燥機から本乾燥機への被乾燥物の移送を、ベルトコンベアにより行うもの、大型の専用送風機の風圧により行うもの、予備乾燥機と本乾燥機とを傾斜して配置し、該傾斜による重力によって行うものが提案されている。
【０００３】
【発明が解決しようとする課題】
前述の従来技術による連続式乾燥装置は、ベルトコンベアを用いるものでは装置が大型化する不具合があり、大型の送風機を用いるものでは被乾燥物品の投入側に配置された送風機を取り外すための作業が繁雑であり、更に被乾燥物が風に舞ってしまい移送に時間が掛かると言う不具合があり、予備乾燥機と本乾燥機とを傾斜して配置するものでは乾燥中に被乾燥物品が重力により偏って乾燥効率が低下すると言う不具合とを招く可能性があった。
【０００４】
本発明の目的は、前記従来技術による不具合を除去することであり、被乾燥物品を予備乾燥機から本乾燥機へ自動的に移送し、且つ本乾燥機から容易に取り出すことができる連続式乾燥装置を提供することである。
【０００５】
【課題を解決するための手段】
前記目的を達成するため本発明は、被乾燥物を予備乾燥する予備乾燥機と、該予備乾燥機で予備乾燥した被乾燥物の本乾燥を行う本乾燥機とを備え、本乾燥機の熱排気を予備乾燥機に取り入れて被乾燥物品の連続乾燥を行う連続式乾燥装置において、被乾燥物を取入れドアを介して取り入れて予備乾燥を行う予備乾燥機と、該予備乾燥機により予備乾燥された被乾燥物を本乾燥し、取出しドアを介して外部に取り出す本乾燥機と、該予備及び本乾燥機間を空間的に区切り且つ開閉する中間ドアと、前記本乾燥機からの熱排気を予備乾燥機に供給する循環路と、前記本乾燥機及び予備乾燥機を一体的に支持し、本乾燥機に対して予備乾燥機が上位置になる様に傾斜させる傾斜機構とを設け、前記中間ドアを閉じ且つ取出しドアを開けた状態で、前記傾斜機構が本乾燥機に対して予備乾燥機が上位置になる様に傾斜させることにより、本乾燥機内の被乾燥物を外部に取り出すことを第１の特徴とする。
【０００６】
また本発明は、前記特徴の連続式乾燥装置において、前記本乾燥機内の被乾燥物を取り出した後、前記傾斜機構による両乾燥機の傾斜を維持し、前記本乾燥機の取出しドアを閉め且つ中間ドアを開けることにより、予備乾燥機内の被乾燥物を本乾燥機内に移送することを第２の特徴とし、更に前記各特徴の連続式乾燥装置において、前記本乾燥機及び予備乾燥機が被乾燥物を収納する内胴ドラムを備え、前記本乾燥機内の被乾燥物を外部に取り出す際、及び又は予備乾燥機内の被乾燥物を本乾燥機に移送する際、前記内胴ドラムを回転させることを第３の特徴とする。
【０００７】
【発明の実施の形態】
以下、本発明の一実施形態による連続式乾燥装置を図面を参照して詳細に説明する。図１は、本実施形態による連続式乾燥装置の概略構成を説明するための図であり、図２は本実施形態における本乾燥後の被乾燥物品を取り出す際の動作を説明するための図、図３は予備乾燥機から本乾燥機への被乾燥物品の移送する際の動作を説明するための図である。
【０００８】
図１に示す連続式乾燥装置は、大別して洗濯及び脱水直後の洗濯物等である被乾燥物品を予備乾燥するための予備乾燥機２と、該予備乾燥機２で予備乾燥された被乾燥物品９の本乾燥を行う本乾燥機１と、該両乾燥機を一体的に支持して予備乾燥機２に対して本乾燥機１が下位置になる様に傾斜させる傾斜機構１１及び１２とから構成される。
【０００９】
前記本乾燥機１は、乾燥後の被乾燥物品９を外部に取り出すための取出しドア７と、該ドア７を開閉駆動するための開閉機構６と、前記被乾燥物体をメッシュ状筒により保持し且つ回転する内胴ドラム（破線により断面を図示）と、外気を吸入し且つ加熱する吸気ファン３と、内部を通った熱風を導入管５に排気する排気ファン２０とから構成され、前記予備乾燥機２は、被乾燥物品１０を取り入れるための取入れドア１４と、該ドア１４を開閉駆動するための開閉機構（図示せず）と、前記被乾燥物体をメッシュ状部筒により保持し且つ回転する内胴ドラム（破線により断面を図示）と、内部の熱風を外気に排気する排気ファン４とから構成される。また前記排気ファン２０の一部には、送風方向を導入管５側と本乾燥機内部とに切り換えるダンパ２１が設けられている。
【００１０】
また前記傾斜機構１１及び１２は、傾斜機構１１の一部が上部を支持しながら回転する支点となり、傾斜機構１２が縦方向に延びることにより、本乾燥機１に対して予備乾燥機２が上位置になる様に傾斜させるものであるが、個々に伸縮する一対の伸縮機構等により構成しても良い。
【００１１】
さて、この様に構成された連続式乾燥装置による予備乾燥機２及び本乾燥機１に被乾燥物品を入れた状態での乾燥処理は、図１に示す如く、予備乾燥機２の内胴ドラムに洗濯脱水後の湿った状態での被乾燥物品１０を入れ、本乾燥機１の内胴ドラムに予備乾燥後の被乾燥物品９を入れ、各内胴ドラムを回転させながら、本乾燥機１の吸気ファン３が外気を吸入して加熱することによって、本乾燥機１内に約１５０度の熱風を供給して本乾燥を行うと共に、該本乾燥機１から排気ファン２０により排気される熱排気を導入管５を介して予備乾燥機２内に供給することにより約７０度〜９０度の熱風を予備乾燥機内に満たし、予備乾燥を行う様に動作する。即ち、本実施形態による連続式乾燥装置は、本乾燥機１からの廃熱を予備乾燥機に循環して洗濯脱水後の被乾燥物品の予備乾燥の熱源として利用する様に構成している。尚、本乾燥機からの廃熱は湿気を多く含んでいるため、前記予備乾燥機２に外気を前記熱風と混合して吸入する様に構成しても良い。
【００１２】
この両乾燥機による所定の乾燥が一旦終了すると、本装置は、図２に示す如く、前記中間ドア８を閉じた状態のまま前記傾斜機構１１及び１２を駆動して本装置を傾斜させ、更に取出しドア７を開閉機構６により開け且つ本乾燥機の内胴ドラムを回転することによって、本乾燥機１内の被乾燥物品９を重力及び内胴ドラム回転による静摩擦力の低減により外部の回収箱１３に排出する。
このとき本装置は、排気ファン２０に繋がるダンパ２１を操作して該ファン２０の排気が本乾燥機内部に送風ａを発生させ、この送風ａにより被乾燥物品９の外部への取り出しを補助したり、また傾斜機構１１及び１２が上下に振動して静摩擦力を低減して前記排出を補助する様にしても良い。
【００１３】
この乾燥した被乾燥物品９を外部に取り出した後、本装置は、図３に示す如く、前記乾燥機の傾斜を保ったままの状態で、取出しドア７を閉め、中間ドア８を開け、更に予備乾燥機の内胴ドラムを回転及び内胴ドラム回転による静摩擦力の低減により、予備乾燥機２の内胴ドラム内の被乾燥物品を本乾燥機１内の内胴ドラムに重力により移送することができる。尚、このとき前記ダンパ２１同様の機構を排気ファン４に設け、排気ファン４の送風により前記移送を補助したり、傾斜機構１１及び１２が上下に振動して静摩擦力を低減して前記移送を補助することもできる。
この様に本実施形態による連続式乾燥装置は、両乾燥機を傾斜したままで、本乾燥機から被乾燥物品の取り出し及び予備乾燥機から本乾燥機への移送連続して行うことができる。
【００１４】
この予備乾燥機２内の被乾燥物品１０を本乾燥機１内に移送した後、本装置は、傾斜機構１１及び１２により装置を水平に戻し、中間ドア８を閉じた状態で操作員又は自動的に洗濯脱水後の新たな被乾燥物品１０を取入れドア１４を開けて予備乾燥機２内に入れ、図１に示した様に新たな予備乾燥及び本乾燥を連続的に行うことができる。
【００１５】
【発明の効果】
以上述べた如く本発明は、両乾燥機間の中間ドアを閉じ且つ取出しドアを開けた状態で、傾斜機構が予備乾燥機に対して本乾燥機が下位置になる様に傾斜させ且つ内胴ドラムを回転することにより、本乾燥機内の被乾燥物を外部に取り出すことができ、更に乾燥機内の被乾燥物を取り出した後に、前記傾斜を保ったまま前記本乾燥機の取出しドアを閉め且つ中間ドアを開けることにより、予備乾燥機内の被乾燥物を本乾燥機内に移送することができる。即ち、本乾燥機からの取り出しと予備乾燥機から本乾燥機への移送を連続的に行うことができる。
【図面の簡単な説明】
【図１】本発明の一実施形態による連続式乾燥装置の概略構成を説明するための図。
【図２】本実施形態における本乾燥後の被乾燥物品を取り出す際の動作を説明するための図。
【図３】予備乾燥機から本乾燥機への被乾燥物品の移送する際の動作を説明するための図。
【符号の説明】
１：本乾燥機、２：予備乾燥機、３：吸気ファン、４：排気ファン、５：導入管、６：開閉機構、７：取出しドア、８：中間ドア、９：被乾燥物品、１０：被乾燥物品、１１：傾斜機構（本乾燥機側）、１２：傾斜機構（予備乾燥機側）、１３：回収箱、１４：取入れドア、２０：排気ファン。
【図１】
0003557470.tif 000002
【図２】
0003557470.tif 000003
【図３】
0003557470.tif 000004